(57)【要約】【課題】容器を開封するために、キャップを螺脱回転方向へ回転したときに、易破断連結部が確実に破断して、不正開封防止環がキャップから分離する不正開封防止付口栓を提供する。【解決手段】液体用紙容器の注出位置に取り付けられるスパウトとこのスパウトに螺着するキャップとからなり、スパウトの注出筒の下端部外周面に、複数個のラチェットを周方向へ等間隔に形成し、キャップの周壁の下端面に、周方向へ等間隔に設ける複数個の易破断連結部を介して、キャップを螺脱回転方向へ回転したときにスパウトのラチェットと嵌合する複数個のラチェットを内周面の周方向へ等間隔に形成する不正開封防止環を接続した不正開封防止付口栓であって、キャップ１００  の周壁２２０  の下端面に設ける複数個の易破断連結部２２２，２２２２，２２２，２２２を、螺着回転方向側から螺脱回転方向側へ傾斜させて設ける。【選択図】図１
2004189272.tif 000002
【特許請求の範囲】
【請求項１】
液体用紙容器の注出位置に取り付けられるスパウトとこのスパウトに螺着するキャップとからなり、前記スパウトの注出筒の下端部外周面に、複数個のラチェットを周方向へ等間隔に形成し、前記キャップの周壁の下端面に、周方向へ等間隔に設ける複数個の易破断連結部を介して、キャップを螺脱回転方向へ回転したときに前記スパウトのラチェットと嵌合する複数個のラチェットを内周面の周方向へ等間隔に形成する不正開封防止環を接続した不正開封防止付口栓であって、前記キャップの周壁の下端面に設ける複数個の易破断連結部を、螺着回転方向側から螺脱回転方向側へ傾斜させて設けたことを特徴とする不正開封防止付口栓。
【発明の詳細な説明】
【０００１】
【発明の属する技術分野】
本発明は、清酒、果汁飲料、調味料などに使用される液体用紙容器の注出位置に突設される不正開封防止付口栓に関するものである。
【０００２】
【従来の技術】
従来、食品などの液体内容物に使用される液体用紙容器には、例えば、図４に示すように、胴部（２１）が四角柱状で、切り妻屋根形の頂部傾斜板（２２）には、スパウト（１００）とキャップ（２００）とからなる口栓（１０）を突設した液体用紙容器（２０）が、広い用途範囲にわたって使用されていた。この口栓は、容器の注出位置に熱融着されて突設するスパウトの注出筒にキャップが螺着したものであり、使用時の便利性を考慮したものである。
【０００３】
【発明が解決しようとする課題】
ところで、上述の従来の液体用紙容器の口栓は、不正開封防止機能が付いてなく、流通過程で誤って又は故意に開封されても、商品の外観からは判断することが難しく、商品のバージン性が損なわれたり、また、商品の内容物に悪影響を及ぼすことがあった。
【０００４】
市場の店頭においての商品の不正開封防止としては、口栓ではないが、不正開封防止付プラスチックキャップがある。この代表的な構造は、容器の口頸部の外周面に形成した雄ねじと螺合する雌ねじを内周面に形成したキャップの裾部に、容器の口頸部の下部に形成したラチェットとキャップの螺脱時に嵌合するラチェットを内周面に形成した不正開封防止環を易破断連結部で部分的に連結したものである（例えば、特許文献１参照）。なお、易破断連結部は、キャップの裾部と不正開封防止環との間に垂直に形成されていた。
【０００５】
【特許文献１】特開昭５４−６４６４９号公報
【０００６】
しかしながら、上述の不正開封防止構造を口栓にそのまま適用すると、口栓のの材質は一般的に柔らかいこともあり、容器の開封時にキャップを螺脱回転方向へ回転したときに、易破断連結部が破断されずに、キャップの不正開封防止環が外側に膨らんで、不正開封防止環がキャップから分離せずに共回りしてしまうことがあった。
【０００７】
本発明は、上述の従来の問題を解決したものであり、容器を開封するために、キャップを螺脱回転方向へ回転したときに、易破断連結部が確実に破断して、不正開封防止環がキャップから分離する不正開封防止付口栓を提供するものである。
【０００８】
【課題を解決するための手段】
すなわち、本発明の発明は、液体用紙容器の注出位置に取り付けられるスパウトとこのスパウトに螺着するキャップとからなり、前記スパウトの注出筒の下端部外周面に、複数個のラチェットを周方向へ等間隔に形成し、前記キャップの周壁の下端面に、周方向へ等間隔に設ける複数個の易破断連結部を介して、キャップを螺脱回転方向へ回転したときに前記スパウトのラチェットと嵌合する複数個のラチェットを内周面の周方向へ等間隔に形成する不正開封防止環を接続した不正開封防止付口栓であって、前記キャップの周壁の下端面に設ける複数個の易破断連結部を、螺着回転方向側から螺脱回転方向側へ傾斜させて設けたことを特徴とする不正開封防止付口栓である。
【０００９】
【発明の実施の形態】
次に、本発明の不正開封防止付口栓の実施の形態について、図を用いて詳細に説明する。
図１は、本発明の不正開封防止付口栓の一実施形態のキャップの断面図であり、図２は、一実施形態のスパウトの正面図で、図３は、図２に示すスパウトの部分断面図である。図４は、一例の口栓を頂部に突設する液体用紙容器の斜視図である。
【００１０】
本発明の不正開封防止付口栓は、液体用紙容器の注出位置に取り付けられるスパウトとこのスパウトに螺着するキャップとからなる。スパウトは、液体用紙容器の注出位置に、注出筒を突設させて超音波シール法などの溶着法により取り付けるものである。スパウトやキャップは、破断される部分があるため、通常、低密度ポリエチレンや直鎖状低密度ポリエチレンなどの比較的に軟性の熱可塑性樹脂を用いて射出成形法により作製されものである。
【００１１】
本実施形態の不正開封防止付口栓のキャップ（２００）は、図１に示すように、天板（２１０）と周壁（２２０）とからなり、天板の下面にスパウトを封止するインナー封止リング（２１１）（外周面をスパウトの注出筒の先端部内周面に密接）とコンタクト封止リング（２１２）（先端をスパウトの注出筒の天面に密接）を垂設し、周壁の内周面にスパウトとの雌ねじ（２２１）を設け、周壁の下端面に、周方向へ等間隔に設ける複数個の螺着回転方向側から螺脱回転方向側へ傾斜する易破断連結部（２２２，２２２，２２２，２２２）を介して、キャップを螺脱回転方向へ回転したときにスパウトのラチェットと嵌合する複数個のラチェット（２３１）を内周面に周方向へ等間隔に形成する不正開封防止環（２３０）を接続するものである。なお、易破断連結部は、傾斜角度が１５〜７５°とすることが好ましく、細幅で薄肉にして破断し易く形成するものであり、上方の幅が０．３〜０．６ｍｍと狭く、下方の幅が０．８〜１．２ｍｍと広くすることが好ましい。また、図１に示すように、周壁下端に破断防止凹部（２２３）を設け、この破断防止凹部と対向する不正開封防止環（２３０）の上端に破断防止凸部（２３２）を隙間をもって設けて、キャップをスパウトに螺着するときに、易破断連結部が破断しないように構成するものである。この破断防止凹部と破断防止凸部は、一対に限ることなく複数対でもよい。
【００１２】
また、スパウト（１００）は、図２に示すように、下端外周面に容器との溶着リング（１３０）をもつ環状台座部（１１０）に、キャップとの雄ねじ（１２１）を外周面にもつ注出筒（１２０）を立設し、図３に示すように、この注出筒（１２０）の内側下方に、封鎖板（１４０）を設けて封止し、この封鎖板の開口予定位置の下面に断面逆Ｖ字状の環状切込み（１４１）を設けて、その上面側に環状薄肉脆弱線（１４２）を形成し、この環状薄肉脆弱線の内側近傍の上面の一側に、先端にプルリング（１４４）をもつ支柱（１４３）を立設するものであり、注出筒（１２０）の下端部外周面に、複数個のラチェット（１２２）を周方向へ等間隔に形成するものである。なお、スパウトを開口するときは、注出筒の内側に収容されているプルリングを指に引っかけて上方へ引っ張って環状薄肉脆弱線を破断して封鎖板を開口するものである。
【００１３】
スパウトの注出筒にキャップを螺着した上述の本実施形態の不正開封防止付口栓は、キャップを取り外すために、キャップを螺脱回転方向へ回転したときに、キャップの周壁の下端に易破断連結部を介して接続する不正開封防止環の内周面に設けられたラチェットが、スパウトの注出筒の下端部外周面に設けられたラチェットと嵌合し、不正開封防止環がスパウトに固定され、キャップをさらに螺脱回転方向へ回転すると、キャップの周壁の下端と不正開封防止環の上端とを螺着回転方向側から螺脱回転方向側へ傾斜させて接続する易破断連結部が、螺脱回転方向へ倒され折れ曲がるため、従来のキャップの周壁の下端と不正開封防止環の上端とを垂直に設けて接続する易破断連結部よりも強い剪断応力が瞬間的に易破断連結部に発生する。この結果、易破断連結部がカチットとクリック感覚をもって容易に顕著な状態に破断される。また、キャップの周壁の下端と不正開封防止環の上端との間隔を適宜に広くとることにより、易破断連結部が破断された状態が、キャップをスパウトに再度螺着しても外観から容易に確認できる。
【００１４】
【発明の効果】
本発明の不正開封防止付口栓は、キャップの周壁の下端と不正開封防止環の上端とを接続する易破断連結部が、螺着回転方向側から螺脱回転方向側へ傾斜して設けられているため、口栓を開封するためにキャップを螺脱回転方向へ回転したときに、易破断連結部がクリック感覚をもって容易に破断される。
【００１５】
また、流通過程で誤って又は故意に開封されたことは、キャップの周壁下端と不正開封防止環を接続していた易破断連結部の破断状態から、容易に外観から確認できる。
【００１６】
なお、本発明の不正開封防止付口栓の易破断連結部の接続構造は、容器の口頸部の下端部にラチェットを形成し、キャップの周壁の下端に易破断連結部を介して接続する不正開封防止環の内周面に形成する易破断連結部の接続構造にも適用することができる。
【図面の簡単な説明】
【図１】本発明の不正開封防止付口栓の一実施形態のキャップの断面図である。
【図２】本発明の不正開封防止付口栓の一実施形態のスパウトの正面図である。
【図３】図２に示すスパウトの部分断面図である。
【図４】一例の口栓を頂部に突設する液体用紙容器の斜視図である。
【符号の説明】
１０……口栓
２０……液体用紙容器
２１……胴部
２２……頂部傾斜板
１００……スパウト
１１０……環状台座部
１２０……注出筒
１２１……雄ねじ
１２２，２３１……ラチェット
１３０……溶着リング
１４０……封鎖板
１４１……環状切込み
１４２……環状薄肉脆弱線
１４３……支柱
１４４……プルリング
２００……キャップ
２１０……天板
２１１……インナー封止リング
２１２……コンタクト封止リング
２２０……周壁
２２１……雌ねじ
２２２……易破断連結部
２２３……破断防止凹部
２３０……不正開封防止環
２３２……破断防止凸部
【図１】
2004189272.tif 000003
【図２】
2004189272.tif 000004
【図３】
2004189272.tif 000005
【図４】
2004189272.tif 000006